Podtech/llm-jp-corpus-v4-ja_patent huggingface dataset:
【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
（i）タンクと、（ii）厚肉の鋼と、（iii）前記タンクの周囲に設けられた断熱層（１２）と、（iｖ）前記断熱層の周囲に設けられたポリウレタン（ＰＵ）製の温水器用ジャケット（１３）と、を備える温水器（１０）。
【請求項２】
請求項１に記載の温水器（１０）であって、
前記鋼は５ｍｍ以上の厚さを有し、
前記断熱層（１２）は、前記タンク（１１）の周囲に巻きつけられ、かつ前記タンクに接触するＰＵフォーム断熱材である、温水器（１０）。
【請求項３】
請求項２に記載の温水器（１０）であって、
タンク容量は１０〜６０ガロン（３８〜２２７リットル）であり、
前記ＰＵフォーム（１２）の厚さは１５ｍｍ以上であり、
前記ジャケット（１３）の厚さは１〜５ｍｍである、温水器（１０）。
【請求項４】
請求項１に記載の温水器（１０）であって、
前記ジャケット（１３）が、配管と計装とのための適切な開口部を除いて前記タンク（１１）と前記断熱層（１２）とが覆われるよう互いに結合される２つの半部分を備える、温水器（１０）。
【請求項５】
請求項４に記載の温水器（１０）であって、
前記ジャケットの前記２つの半部分は、弾性バンド又は金属バンドによって結合される、温水器（１０）。
【手続補正書】
【提出日】平成27年12月4日(2015.12.4)
【手続補正１】
【補正対象書類名】明細書
【補正対象項目名】０００５
【補正方法】変更
【補正の内容】
【０００５】
すなわち、本発明は前述の設計を有する自動車用ドアロックをさらに改善するという技術課題に基づくものであり、前記結合手段の交換を可能としつつ外環境に対する最適な保護も提供するよう構成されるものである。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  英国特許出願公開第２２６３７２４号明細書
（特許文献２）  実開平０５―７１３７７号公報
（特許文献３）  仏国特許出願公開第２９２３２４９号明細書
（特許文献４）  特開２００３―３１４１１６号公報
（特許文献５）  英国特許出願公開第２４７５９６２号明細書
（特許文献６）  独国特許出願公開第１０３３４２２３号明細書
（特許文献７）  米国特許出願公開第２０１０／０７２７６１号明細書
（特許文献８）  欧州特許出願公開第１７０３０４７号明細書
【手続補正書】
【提出日】平成27年12月11日(2015.12.11)
【手続補正１】
【補正対象書類名】特許請求の範囲
【補正対象項目名】全文
【補正方法】変更
【補正の内容】
【特許請求の範囲】
【請求項１】
透明基板と、
前記透明基板上に形成され、互いに対向する第１の表面および第２の表面を有する透明層と、
前記透明層の第２の表面に形成される第１のパターン領域及び第２のパターン領域と、
前記第１のパターン領域及び前記第２のパターン領域の間に形成されるように前記第２の表面から延びる第１の突出部と、
前記第１の突出部の上に形成される金属層と、
を含み、
前記第１の表面は、前記透明基板と向き合い、
前記第１及び第２のパターン領域のパターンは、複数の凹部によって形成され、
前記第１の突出部は、前記第１のパターン領域及び前記第２のパターン領域とは異なる高さを有し、
前記第１の突出部の高さは、前記第１の表面から前記第２の表面までの距離である導電性及び光透過性層。
【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
（ａ）ビニル基、マレイミド基、アクリロイル基、メタクリロイル基およびアリル基からなる群から選ばれる１以上の官能基を有するラジカル重合性モノマーと、
（ｂ）極性基を有するポリマーであって、該極性基が、水酸基、カルボキシル基、（メタ）アクリロイル基、およびエポキシ基からなる群より選ばれ、該ポリマーが、１０，０００〜１，０００，０００の範囲内の重量平均分子量を有する、極性基を有するポリマーと、
（ｃ）平均粒径が１μｍ未満であるフィラーと、
（ｄ）熱ラジカル開始剤と、
を含み、５μｍ以上１００μｍ以下の厚みを有するフィルム状である、プリアプライドアンダーフィル材用の接着剤組成物。
【請求項２】
前記（ｄ）熱ラジカル開始剤が有機過酸化物である、請求項１に記載の接着剤組成物。
【請求項３】
さらに、支持テープが積層された、請求項１または２に記載の接着剤組成物。
【請求項４】
支持基材上に請求項１記載の接着剤組成物を塗布し、該塗布された接着剤組成物をＢステージ化する工程を含む、フィルム状接着剤組成物の製造方法。
【請求項５】
Ｂステージ化された状態で、ウエハーの素子形成面上に積層された請求項１または２に記載の接着剤組成物を含む、接着剤層付きウエハー。
【請求項６】
さらに、接着剤層上に積層された支持テープを含む、請求項５に記載の接着剤層付きウエハー。
【請求項７】
請求項１に記載の接着剤組成物を、ウエハーの素子形成面上に塗布し、塗布された接着剤組成物をＢステージ化する工程を含む、接着剤層付きウエハーの製造方法。
【請求項８】
請求項１または２に記載のフィルム状接着剤組成物を、ウエハーの素子形成面上に積層する工程を含む、接着剤層付きウエハーの製造方法。
【請求項９】
Ｂステージ化された状態で配線基板上に積層された請求項１に記載の接着剤組成物を含む、接着剤付き配線基板。
【請求項１０】
請求項１に記載の接着剤組成物を配線基板上に塗布し、該塗布された接着剤組成物をＢステージ化する工程を含む、接着剤付き配線基板の製造方法。
【請求項１１】
請求項１〜３のいずれか一項に記載の接着剤組成物を用いて製造された電子デバイス。
【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
充填およびサーモシーリングによる密封の後、熱媒体として蒸気を使うレトルトでの貯蔵寿命延長熱処理を受けるはずである包装容器（４００）のための包装積層材であって、
前記包装積層材（１０、２０）は、紙または板紙の層（１１、２１）を含み、その１つの表面は、前記紙または板紙層（１１、２１）と接触する顔料および接着剤または結合剤の印刷可能被覆物（１６、２６）を有し、
前記紙または板紙層（１１、２１）の他方の面が、前記紙または板紙層（１１、２１）と接触する前記印刷可能被覆物（１６、２６）と同じ種類の顔料および接着剤の被覆物（１７、２７）を有することを特徴とする、包装積層材。
【請求項２】
前記紙または板紙層（１１、２１）の一方の面での前記印刷可能被覆物（１６、２６）が、前記紙または板紙層（１１、２１）の前記他方の面での前記被覆物（１７、２７）よりも大きい厚さであることを特徴とする、請求項１に記載の包装積層材。
【請求項３】
前記紙または板紙層（１１、２１）の前記片方の面での前記印刷可能被覆物（１６、２６）が、１５〜３０ｇ／ｍ２の厚さまたは被覆量であることを特徴とする、請求項１または２に記載の包装積層材。
【請求項４】
前記紙または板紙層（１１、２１）の前記他方の面での前記被覆物（１７、２７）が、１０ｇ／ｍ２未満の厚さまたは被覆量であることを特徴とする、請求項１から３のいずれか一項に記載の包装積層材。
【請求項５】
前記包装積層材が、前記紙または板紙層（１１、２１）の両面に外側液密耐熱層（１２、１３、２２、２３）を有することを特徴とする、請求項１から４のいずれか一項に記載の包装積層材。
【請求項６】
前記紙または板紙層（１１、２１）の前記両面での前記外側液密耐熱層（１２、１３、２２、２３）が、高密度ポリエチレン（ＨＤＰＥ）、線状低密度ポリエチレン（ＬＬＤＰＥ）、ポリプロピレン（ＰＰ）およびポリエステル（ＰＥＴ）を本質的に含む群から選択されることを特徴とする、請求項５に記載の包装積層材。
【請求項７】
前記紙または板紙層（１１、２１）と前記紙または板紙層（１１、２１）の前記第２の面での前記外側液密耐熱層（１３、２３）との間に、前記包装積層材が、ガスに対する気密特性を持つ材料の層（１４、２４）を有することを特徴とする、請求項１から６のいずれか一項に記載の包装積層材。
【請求項８】
ガスに対する気密特性を持つ前記層（１４、２４）が、アルミニウム箔であることを特徴とする、請求項７に記載の包装積層材。
【請求項９】
前記被覆物（１６、１７、２６、２７）がまた、前記被覆物のレオロジー特性を改質する能力がある物質も含むことを特徴とする、請求項１から８のいずれか一項に記載の包装積層材。
【請求項１０】
前記被覆物（１６、１７、２６、２７）のレオロジー特性を改質する能力がある前記物質が、タンパク質、多糖、カルボキシメチルセルロース（ＣＭＣ）、ヒドロキシエチルセルロース（ＨＥＣ）、アルカリ溶解性アクリルポリマーエマルション（ＡＳＥ）、疎水的に改質されたアルカリ溶解性アクリルポリマー（ＨＡＳＥ）、ポリウレタン（ＰＵ）、ポリビニルアルコール（ＰＶＯＨ）およびデンプンを本質的に含む群から選択されることを特徴とする、請求項９に記載の包装積層材。
【請求項１１】
請求項１から１０のいずれか一項に記載の包装積層材の折り畳み成形およびサーモシーリングによって作製される包装容器（４００）。
【請求項１２】
前記包装容器（４００）が、前記包装積層材の管状の平坦に折り畳まれた包装ブランクから、前記包装ブランクが、開いた包装カートンへと最初に引き起こされ、その包装カートンの片方の端部（例えば、底端部）が、平面の端部閉鎖部（例えば、底部閉鎖部）の形成のために前記包装ブランクの対応する折り畳み可能な端部プレートの折り畳み成形およびサーモシーリングによって密封され、その後前記底部が設けられた前記包装カートンが、その開いた端部（例えば、上端部）を通って所望の食品で満たされ、その開いた端部が、前記充填作業の後、平面の端部閉鎖部（例えば、上部閉鎖部）の形成のために前記包装ブランクの対応する折り畳み可能な端部パネルの追加の折り畳み成形およびサーモシーリングによって密封されるようにして作製されることを特徴とする、請求項１１に記載の包装容器（４００）。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
酸化性ガス燃焼システムであって、
酸化性ガス源と、
熱源と、
触媒システムと、を備え、該触媒システムは、
（ｉ）担体媒質と、
（ｉｉ）前記担体媒質上に物理的気相堆積されたパラジウム金属と、を備え、
前記酸化性ガス源は前記熱源と流体連通しており、前記触媒システムは前記熱源に近接して配置されており、さらに前記パラジウム金属は、前記パラジウムと前記担体媒質との合計重量に基づいて、０．００１〜５重量パーセントのパラジウムで存在する、酸化性ガス燃焼システム。
【請求項２】
前記担体媒質が、活性ナノ多孔質担体媒質である、請求項１に記載のシステム。
【請求項３】
前記パラジウムと前記担体媒質との合計重量に基づいて、少なくとも９９．５重量パーセントのパラジウムが、前記担体媒質の表面に堆積される、請求項１又は２に記載のシステム。
【請求項４】
担体媒質を提供する工程と、
前記担体媒質上にパラジウム金属を物理的気相堆積し、触媒を提供する工程と、
前記触媒を酸化性ガスと接触させる工程と、ここでこの接触は燃焼システムの中で生じる、
前記パラジウム金属を物理的気相堆積する間、電気バイアスを基材にかける工程と、
前記触媒を８００℃の温度に暴露する工程
を含み、前記パラジウム金属は、前記暴露後に５００ｎｍ未満の限界寸法を維持する、方法。
【請求項５】
請求項１〜３のいずれか一項に記載のシステムを提供する工程と、
前記触媒システムを酸化性ガスと接触させる工程と、
を含み、前記酸化性ガスがメタンであり、更に、Ｔ５０が４００℃未満であり、かつ前記パラジウムが、前記パラジウムと前記担体媒質との合計重量に基づいて、０．００４〜０．５重量パーセントのパラジウムの量で存在する方法。
【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
少なくとも１つの垂直支持部の上に搭載されるよう設計されたディスプレイケースであって、
上部と複数の側壁とを含むフレームであり、前記フレームは第１のディスプレイエリアを収容し、前記第１のディスプレイエリアは後部パネルと、前記フレームの上部に取り付けられた上部パネルと、前記フレームの左側壁に取り付けられた左側パネルと、前記フレームの右側壁に取り付けられた右側パネルと、を含む、前記フレームと、
前記フレームに取り付けられた前面ビューイング窓であって、前記前面ビューイング窓を介して、前記フレームに収容された前記第１のディスプレイエリアが視認可能である、前記前面ビューイング窓と、
前記フレームにスライド可能に接続され、閉位置と開位置とを持つ第１のディスプレイ引き出しと
を備え、
前記上部パネルと前記左側パネルと前記右側パネルとは全て、前記ディスプレイケースの外縁から前記後部パネルに向かって内側に傾けられ、
前記第１のディスプレイ引き出しは、前記閉位置においては前記第１のディスプレイエリア内に収容され、前記開位置においては前記第１のディスプレイエリアの下に延び、
前記第１のディスプレイ引き出しは、上端と下端とを有するディスプレイ面を含み、前記ディスプレイ面は、前記第１のディスプレイ引き出しが前記閉位置にあるとき、前記上端の前記第１のディスプレイエリアの後部から、前記下端の前記第１のディスプレイエリアの前面まで傾けられる、
ディスプレイケース。
【請求項２】
前記フレームに取り付けられた後部ビューイング窓であって、前記後部ビューイング窓を介して、前記フレームに収容された第２のディスプレイエリアが視認可能である、前記後部ビューイング窓と、
前記フレームにスライド可能に接続され、閉位置と開位置とを持つ第２のディスプレイ引き出しと
とを更に備え、
前記第２のディスプレイ引き出しは、前記閉位置においては前記第２のディスプレイエリア内に収容され、前記開位置においては前記第２のディスプレイエリアの下に延びる、請求項１に記載のディスプレイケース。
【請求項３】
前記ディスプレイケースはケースの奥行を持ち、
前記第１のディスプレイエリアは、前記ケースの奥行の約半分までの奥行を持つ、請求項１又は２に記載のディスプレイケース。
【請求項４】
前記第１のディスプレイ引き出しは、
左辺及び右辺を持つディスプレイ面と、
前記ディスプレイ面の各辺に接続された側面プレートと、
各側面プレートに約１８０度より小さい角度で接続された支持アームと
を有する、請求項１から３の何れか１項に記載のディスプレイケース。
【請求項５】
各支持アームは、前記ディスプレイケースの前記フレームに固定された垂直トラックにスライド可能に接続されている、請求項４に記載のディスプレイケース。
【請求項６】
各側面プレートは、前記ディスプレイケースの前記フレームに固定されたベアリングホイールを受けるスライド溝を含む、請求項４又は５に記載のディスプレイケース。
【請求項７】
各スライド溝は湾曲しており、前記第１のディスプレイ引き出しの前記ディスプレイ面を、前記第１のディスプレイ引き出しが前記閉位置にあるときの傾いた位置から、前記第１のディスプレイ引き出しが前記開位置にあるときの水平位置に旋回させる、請求項６に記載のディスプレイケース。
【請求項８】
前記第１のディスプレイ引き出しは更に、前記ディスプレイ面に取り外し可能に取り付けられる少なくとも１つのディスプレイパネルを含む、請求項４から７の何れか１項に記載のディスプレイケース。
【請求項９】
前記第１のディスプレイ引き出しは複数のディスプレイパネルを含み、各ディスプレイパネルが、前記ディスプレイ面に取り外し可能に取り付けられる、請求項８に記載のディスプレイケース。
【請求項１０】
前記少なくとも１つのディスプレイパネルは、ディスプレイされる商品を受ける少なくとも１つのスロットを含む、請求項８又は９に記載のディスプレイケース。
【請求項１１】
前記少なくとも１つのディスプレイパネルは、前記ディスプレイ面に磁気的に取り付けられる、請求項８から１０の何れか１項に記載のディスプレイケース。
【請求項１２】
前記第１のディスプレイ引き出しの下面に取り外し可能に取り付けられる商品収集トレイを更に備える、請求項１から１１の何れか１項に記載のディスプレイケース。
【請求項１３】
少なくとも１つの垂直支持部の上に搭載されるよう設計されたディスプレイケースであって、
前記ディスプレイケースは、
上部と複数の側壁とを備え、第１のディスプレイエリアを収容するフレームと、
前記フレームに取り付けられた前面ビューイング窓であって、前記前面ビューイング窓を介して、前記フレームに収容された前記第１のディスプレイエリアが視認可能である、前記前面ビューイング窓と、
前記フレームにスライド可能に接続され、閉位置と開位置とを持つ第１のディスプレイ引き出しと
を有し、
前記第１のディスプレイ引き出しは、前記閉位置においては前記第１のディスプレイエリア内に収容され、前記開位置においては前記第１のディスプレイエリアの下に延び、
前記第１のディスプレイ引き出しは、
左辺及び右辺を持つディスプレイ面と、
前記ディスプレイ面の各辺に接続された側面プレートと、
各側面プレートに約１８０度より小さい角度で接続された支持アームと
を含み、
各側面プレートは、前記ディスプレイケースの前記フレームに固定されたベアリングホイールを受けるスライド溝を含む、
ディスプレイケース。
【請求項１４】
各支持アームは、前記ディスプレイケースの前記フレームに固定された垂直トラックにスライド可能に接続されている、請求項１３に記載のディスプレイケース。
【請求項１５】
各スライド溝は湾曲しており、前記第１のディスプレイ引き出しの前記ディスプレイ面を、前記第１のディスプレイ引き出しが前記閉位置になったときの傾いた位置から、前記第１のディスプレイ引き出しが前記開位置になったときの水平位置に旋回させる、請求項１３に記載のディスプレイケース。
【請求項１６】
前記第１のディスプレイ引き出しは更に、前記ディスプレイ面に取り外し可能に取り付けられる少なくとも１つのディスプレイパネルを含む、請求項１３から１５の何れか１項に記載のディスプレイケース。
【請求項１７】
前記第１のディスプレイ引き出しは複数のディスプレイパネルを含み、各ディスプレイパネルが、前記ディスプレイ面に取り外し可能に取り付けられる、請求項１６に記載のディスプレイケース。
【請求項１８】
前記少なくとも１つのディスプレイパネルは、ディスプレイされる商品を受ける少なくとも１つのスロットを含む、請求項１６又は１７に記載のディスプレイケース。
【請求項１９】
前記少なくとも１つのディスプレイパネルは、前記ディスプレイ面に磁気的に取り付けられる、請求項１６から１８の何れか１項に記載のディスプレイケース。
【請求項２０】
前記第１のディスプレイ引き出しを前記閉位置に施錠する第１の施錠メカニズムを更に備える、請求項１に記載のディスプレイケース。
【請求項２１】
前記第２のディスプレイ引き出しを前記閉位置に施錠する第２の施錠メカニズムを更に備える、請求項２に記載のディスプレイケース。
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
第１の壁と、
第２の壁であって、前記第１の壁及び前記第２の壁は、それらの周縁に沿ってシールされてキャビティを画定する第２の壁と、
ビニル結合リッチなトリブロック共重合体を含む重合体混合物から形成された繊維を含む少なくとも１つの吸音不織布層と
を備え、
該少なくとも１つの吸音不織布層は前記第１の壁に取り付けられる、防音オストミーパウチ。
【請求項２】
前記繊維は、水素化されていないビニル結合リッチなＳＩＳブロック共重合体と、ポリエチレン又はポリプロピレンとを含む重合体混合物から形成される、請求項１に記載の防音オストミーパウチ。
【請求項３】
前記繊維は、２０質量％〜７０質量％の水素化されたビニル結合リッチなスチレン−イソプレン−スチレンブロック共重合体を含む重合体混合物から形成される、請求項１に記載の防音オストミーパウチ。
【請求項４】
前記防音オストミーパウチは、第１の吸音不織布層及び第２の吸音不織布層を含み、前記第１の吸音不織布層は前記第１の壁にヒートシールされ、前記第２の吸音不織布層は前記第２の壁にヒートシールされ、前記第１の吸音不織布層及び前記第２の吸音不織布層のそれぞれは、水素化されたビニル結合リッチなスチレン−イソプレン−スチレンブロック共重合体を含む重合体混合物から形成された繊維を含む、請求項１〜３のいずれか一項に記載の防音オストミーパウチ。
【請求項５】
水素化されていないビニル結合リッチなＳＩＳブロック共重合体を含む繊維または水素化されたビニル結合リッチなスチレン−イソプレン−スチレンブロック共重合体を含む重合体混合物から形成された繊維を含む、オストミー器具の吸音不織布材料。
【請求項６】
前記水素化されていないビニル結合リッチなＳＩＳブロック共重合体と、ポリエチレン又はポリプロピレンとの混合物から形成された繊維を含む、請求項５に記載の吸音不織布材料。
【請求項７】
シース／コアの構成を有する繊維を含み、前記シースは、ポリエチレン又はポリプロピレンから形成され、前記コアは、前記水素化されていないビニル結合リッチなＳＩＳブロック共重合体から形成される、請求項５に記載の吸音不織布材料。
【請求項８】
前記繊維は、２０質量％〜７０質量％の前記水素化されたビニル結合リッチなスチレン−イソプレン−スチレンブロック共重合体を含む重合体混合物から形成される、請求項５に記載の吸音不織布材料。
【請求項９】
２０ｇｓｍ〜６０ｇｓｍの坪量の繊維を有する、請求項５〜８のいずれか一項に記載の吸音不織布材料。
【請求項１０】
少なくとも５０質量％の水素化されていないビニル結合リッチなＳＩＳブロック共重合体を含む少なくとも１つの層または水素化されたビニル結合リッチなＳＩＳブロック共重合体を含む少なくとも１つの層を含む、オストミー器具の吸音フィルム。
【請求項１１】
前記吸音フィルムは、臭気バリア層と、第１のスキン層と、第２のスキン層とを含む多層フィルムであり、前記第１のスキン層及び前記第２のスキン層のうちの少なくとも一方は、少なくとも５０質量％の前記水素化されていないビニル結合リッチなＳＩＳブロック共重合体を含む、請求項１０に記載の吸音フィルム。
【請求項１２】
前記吸音フィルムは、１つの臭気バリア層と、２つの結合層と、２つの内側層と、２つのスキン層とを含む７層のフィルムであり、前記スキン層のうちの少なくとも一方は、少なくとも５０質量％の前記水素化されていないビニル結合リッチなＳＩＳブロック共重合体を含有し、前記内側層のうちの少なくとも一方は、少なくとも５０質量％の前記水素化されていないビニル結合リッチなＳＩＳブロック共重合体を含有する、請求項１０または１１に記載の吸音フィルム。
【請求項１３】
前記吸音多層フィルムは、臭気バリア層と、第１のスキン層と、第２のスキン層とを含む多層フィルムであり、該第１のスキン層及び該第２のスキン層のうちの少なくとも一方は、前記水素化されたビニル結合リッチなＳＩＳブロック共重合体を含む、請求項１０に記載の吸音多層フィルム。
【請求項１４】
前記多層フィルムは第１の内側層及び第２の内側層を更に含み、該第１の内側層及び該第２の内側層のうちの少なくとも一方は、前記水素化されたビニル結合リッチなＳＩＳブロック共重合体または少なくとも５０質量％の前記水素化されていないビニル結合リッチなＳＩＳブロック共重合体を含む、請求項１１または１３に記載の吸音多層フィルム。
【請求項１５】
前記吸音多層フィルムは、１つの臭気バリア層と、２つの結合層と、２つの内側層と、２つのスキン層とを含む７層のフィルムであり、前記スキン層のうちの少なくとも一方は、前記水素化されたビニル結合リッチなＳＩＳブロック共重合体を含有し、前記内側層のうちの少なくとも一方は、前記水素化されたビニル結合リッチなＳＩＳブロック共重合体を含有する、請求項１３に記載の吸音多層フィルム。
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
第１表面及び相対する第２表面を有する可撓性ポリマーフィルムを含む植え込み可能な医療用装置であって、前記可撓性ポリマーフィルムは、前記第１表面から前記第２表面まで延在する複数の開口部と、前記第１表面から突出する複数の隆起縁とを有し、これにより、前記複数の開口部それぞれが、前記複数の隆起縁の１つによって取り囲まれ、
前記フィルムが１つ以上の薬剤を含む、植え込み可能な医療用装置。
【請求項２】
前記可撓性ポリマーフィルムが生体再吸収性ポリマーを含む、請求項１に記載の植え込み可能な医療用装置。
【請求項３】
前記生体再吸収性ポリマーが、Ｌ−乳酸、Ｄ−乳酸、Ｌ−ラクチド、Ｄ−ラクチド、Ｄ，Ｌ−ラクチド、グリコリド、ラクトン、ラクタム、炭酸トリメチレン、環状炭酸エステル、環状エーテル、パラジオキサノン、β−ヒドロキシ酪酸、β−ヒドロキシプロピオン酸、β−ヒドロキシ吉草酸、及びこれらの組み合わせからなる群から選択される反復単位を含む、請求項２に記載の植え込み可能な医療用装置。
【請求項４】
前記生体再吸収性ポリマーが、Ｌ−乳酸、Ｄ−乳酸、Ｌ−ラクチド、Ｄ−ラクチド、Ｄ，Ｌ−ラクチド、ε−カプロラクトン、炭酸トリメチレン、パラジオキサノン、及びこれらの組み合わせからなる群から選択される反復単位を含む、請求項２に記載の植え込み可能な医療用装置。
【請求項５】
前記生体再吸収性ポリマーが、グリコリド、炭酸トリメチレン、ラクチド及びカプロラクトンのコポリマーである、請求項２に記載の植え込み可能な医療用装置。
【請求項６】
前記第１表面が、前記複数の隆起縁の間に延在する連続的平面部分を含む、請求項１に記載の植え込み可能な医療用装置。
【請求項７】
前記複数の隆起縁それぞれが、前記連続的平面部分から約０．１ｍｍ〜約１．０ｍｍ上に隆起している外側エッジを有する、請求項６に記載の植え込み可能な医療用装置。
【請求項８】
前記１つ以上の薬剤が、複数の別個の溶出薬剤構成要素を含み、前記可撓性ポリマーフィルムは、前記医療用装置の植え込み後、異なる期間で、前記複数の別個の薬剤構成要素を溶出させるよう構成される、請求項１に記載の植え込み可能な医療用装置。
【請求項９】
前記可撓性ポリマーフィルムをシースに形成するよう構成された少なくとも１つのシームを更に含む、請求項１に記載の植え込み可能な医療用装置。
【請求項１０】
前記可撓性ポリマーフィルムが、第１平面方向における第１引張強度、及び、前記第１平面方向に対して垂直である第２平面方向における第２引張強度を有し、前記第１引張強度は実質的に前記第２引張強度に等しい、請求項１に記載の植え込み可能な医療用装置。
【請求項１１】
前記可撓性ポリマーフィルムが、０．０６ｍｍ以下の公称厚さを有する、請求項１に記載の植え込み可能な医療用装置。
【請求項１２】
前記第１表面が、前記第２表面の第２触感とは異なる第１触感を有する、請求項１に記載の植え込み可能な医療用装置。
【請求項１３】
ポリマーフィルムを製造する方法であって、
ポリマー溶液を、成形型の底面から延出する複数の突出物を有する片側成形型に入れる工程であって、前記ポリマー溶液は、前記成形型全体に前記ポリマーが自然に流れるのを阻害する粘度によって特徴付けられる、工程と、
前記複数の突出物それぞれの周囲に前記ポリマー溶液を寄せる工程と、
前記ポリマー溶液を固化させる工程と、を含む、方法。
【請求項１４】
前記成形型が、前記複数の突出物それぞれの高さに実質的に等しい高さまで延出する周縁形状を含む、請求項１３に記載の方法。
【請求項１５】
前記寄せる工程が、前記周縁形状及び前記複数の突出物の上にわたって寄せ手段を引っ張ることにより、前記ポリマー溶液が前記複数の突出物の周囲及び前記成形型全体に流れ込むようにし、これにより前記ポリマー溶液が実質的に均一な厚さを有するようにする工程を含む、請求項１４に記載の方法。
【請求項１６】
前記突出物それぞれの外側表面には、前記引っ張ることの後、実質的に前記ポリマー溶液が存在しない、請求項１５に記載の方法。
【請求項１７】
前記入れる工程が、前記ポリマー溶液の一部が前記周縁形状及び前記突出物の高さより上になるように、前記ポリマー溶液を前記成形型に吐出する工程を含む、請求項１４に記載の方法。
【請求項１８】
前記ポリマー溶液が薬剤を含む、請求項１３に記載の方法。
【請求項１９】
前記ポリマー溶液が、溶媒、ポリマー、及び前記薬剤を９０℃未満の温度で組み合わせることによって形成される、請求項１８に記載の方法。
【請求項２０】
前記薬剤が、別個の薬剤単位を含む、請求項１８に記載の方法。
【請求項２１】
前記ポリマー溶液を固化する工程が、前記ポリマー溶液の厚さを減少させる工程を含む、請求項１３に記載の方法。
【請求項２２】
前記ポリマー溶液を固化する工程が、前記複数の突出物それぞれの周囲に、固化したポリマーのメニスカスを形成する工程を含む、請求項１３に記載の方法。
【請求項２３】
前記成形型の底面から前記複数の突出物それぞれの頂点までの距離が、約０．３ｍｍ未満である、請求項１３に記載の方法。
【請求項２４】
前記周縁形状が、成形型全領域を画定し、前記複数の突出物が、前記成形型全領域の少なくとも約１５％の領域を画定する、請求項１４に記載の方法。
【請求項２５】
前記成形型から薬剤溶出フィルムを剥がす工程を更に含む、請求項１３に記載の方法。
【請求項２６】
前記ポリマー溶液が、架橋可能プレポリマー溶液を含む、請求項１３に記載の方法。
【請求項２７】
前記固化する工程が、紫外線照射、温度変化、重合触媒、可溶性架橋剤、又はこれらの組み合わせを前記ポリマー溶液に適用することによって、前記ポリマーを架橋させる工程を含む、請求項１３に記載の方法。
【請求項２８】
前記ポリマー溶液が第１溶媒及びポリマーを含み、前記固化する工程が、前記第１溶媒が可溶であり、かつ前記ポリマー及び薬剤が可溶でない第２溶媒に、前記ポリマー溶液を曝し、それにより前記第１溶媒が前記ポリマー溶液から少なくとも実質的に除去され、前記ポリマーが前記薬剤を含んで固化するようにする工程を含む、請求項１３に記載の方法。
【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
ヘアスタイリング装置であって、
第１のアームおよび第２のアームであって、前記第１のアームの第１の接触面が前記第２のアームの第２の接触面に近接する閉ポジションと、前記第１および第２の接触面が離間される開ポジションと、の間で移動可能であり、細長形状のものであり、かつ長手方向軸線を有する、第１のアームおよび第２のアームを備えており；
前記第１および第２の接触面が、使用時に前記アームが閉ポジションにある場合に髪の一部が前記接触面間にクランプされるように、相補的な形状を有しており；
前記第１および第２の接触面同士の間で髪の一部を加熱するために前記第１の接触面は第１の加熱領域を備えておりかつ前記第２の接触面は第２の加熱領域を備えており、かつ前記第１および第２のアームが前記閉ポジションにある場合に前記第１および第２の加熱領域が互いに近接するように、前記第１の加熱領域は前記第１の接触面に配置されておりかつ前記第２の加熱領域は前記第２の接触面に配置されており；
髪の当該部分を冷却するために、前記第１の接触面は第１および第２の冷却領域をさらに備えており、これら冷却領域は、前記第１のアームの前記長手方向軸線に交差する方向において前記第１の加熱領域が前記第１および第２の冷却領域の間に配置されるように、前記第１の接触面に配置されており；かつ、
前記第１のアームはヒートブリッジをさらに備えており、該ヒートブリッジは、前記第１の冷却領域から得られた熱を前記ヒートブリッジを介して前記第２の冷却領域へ伝達できるよう構成された金属から形成されていることを特徴とするヘアスタイリング装置。
【請求項２】
前記第１の接触面は前記第１および第２の冷却領域の少なくとも一方に対応するポジションにおいて湾曲しており、それによって、使用時に、前記ヘアスタイリング装置が略直線様式で髪の一部に沿って移動されるにつれて髪の当該部分がカールされることを特徴とする請求項１に記載のヘアスタイリング装置。
【請求項３】
前記第１の接触面は、前記第１および第２の冷却領域の少なくとも一方に対応するポジションにおいて平坦であることを特徴とする請求項１または請求項２に記載のヘアスタイリング装置。
【請求項４】
前記第１の加熱領域は、第１のヒータと熱接触する第１の加熱プレートを備えており、前記第１の加熱プレートおよび前記第１のヒータは、前記ヘアスタイリング装置の前記第１のアームに取り付けられていることを特徴とする請求項１から請求項３のいずれか一項に記載のヘアスタイリング装置。
【請求項５】
前記第２の接触面は第３および第４の冷却領域を備えており、
前記第１および第２のアームが閉ポジションにある場合に前記第１および第３の冷却領域が互いに近接するように前記第１の冷却領域は前記第１の接触面に配置されかつ前記第３の冷却領域は前記第２の接触面に配置されており、かつ、前記第１および第２のアームが閉ポジションにある場合に前前記第２および第４の冷却領域が互いに近接するように前記第２の冷却領域は前記第１の接触面に配置されかつ前記第４の冷却領域は前記第２の接触面に配置されていることを特徴とする請求項１から請求項４のいずれか一項に記載のスタイリング装置。
【請求項６】
前記第１、第２、第３および第４の冷却領域の少なくとも１つは、冷却された髪の一部をひねってガイドするよう位置決めされたガイド部材をさらに備えることを特徴とする請求項５に記載のヘアスタイリング装置。
【請求項７】
前記第１の冷却領域は第１のガイド部材を備えておりかつ前記第３の冷却領域は第２のガイド部材を備えており、かつ前記第１のガイド部材は凸状であり、かつ前記第２のガイド部材は、相補的な凹形状を有することを特徴とする、請求項６に記載のスタイリング装置。
【請求項８】
前記ヒートブリッジは、伝導プレートまたは伝導ロッドを備えることを特徴とする請求項１から請求項７のいずれか一項に記載のスタイリング装置。
【請求項９】
前記ヒートブリッジは、ヒートパイプを備えることを特徴とする請求項１から請求項８のいずれか一項に記載のスタイリング装置。
【請求項１０】
前記ヒートブリッジは、１つ以上の冷却フィンを備えることを特徴とする請求項１から請求項９のいずれか一項に記載のスタイリング装置。
【請求項１１】
前記第１および第２の接触面は、前記第１および第２の加熱領域に対応するポジションにおいて平坦であり、かつ前記第１の接触面は、前記第１のアームにおける前記第１の冷却領域に対応するポジションにおいて凸状であり、かつ前記第２の接触面は、前記第２のアームにおける前記第２の冷却領域に対応するポジションにおいて相補的な凹状を有することを特徴とする請求項１または請求項２に記載のヘアスタイリング装置。
【請求項１２】
前記第１の冷却領域に対応するポジションにおける凸状の前記第１の接触面は、２ｍｍから１０ｍｍ、特に６ｍｍの半径を有することを特徴とする請求項１１に記載のヘアスタイリング装置。
【請求項１３】
前記第１の接触面は前記第１の加熱領域に対応するポジションにおいて湾曲していることを特徴とする請求項１から請求項１０のいずれか一項に記載のヘアスタイリング装置。
【請求項１４】
前記第１および第２の冷却領域の一方または両方が、前記第１のアームの前記長手方向軸線の少なくとも一部に沿って延在していることを特徴とする請求項１から請求項１３のいずれか一項に記載のヘアスタイリング装置。
【請求項１５】
前記第１および第２の冷却領域は伝導性を有することを特徴とする請求項１から請求項１４のいずれか一項に記載のヘアスタイリング装置。
【請求項１６】
前記第１および第２の接触面は、前記第１の接触面および前記第１のアーム間の移動を可能にするようかつ前記第２の接触面および前記第２のアーム間の移動を可能にするよう、弾性サスペンションに支持されることを特徴とする請求項１から請求項１５のいずれか一項に記載のヘアスタイリング装置。
【請求項１７】
前記第１および第２のアームは細長形状のものであり、かつ前記第１の加熱領域は、前記第１のアームの前記長手方向軸線の長さの少なくとも一部に沿って延在し、かつ前記第２の加熱領域は、前記第２のアームの前記長手方向軸線の長さの少なくとも一部に沿って延在することを特徴とする請求項１から請求項１６のいずれか一項に記載のヘアスタイリング装置。
【請求項１８】
前記第１および第２の加熱領域は、少なくとも１６０℃に髪を加熱するよう構成されていることを特徴とする請求項１から請求項１７のいずれか一項に記載のヘアスタイリング装置。
【請求項１９】
前記第１および第２の冷却領域は、髪の温度を９０℃から１６０℃にするよう構成されていることを特徴とする請求項１から請求項１８のいずれか一項に記載のヘアスタイリング装置。
【請求項２０】
前記第１の接触面における前記第１の加熱領域と前記第１の冷却領域との間における断熱材と、前記第１の接触面における前記第１の加熱領域と前記第２の冷却領域との間における断熱材と、をさらに備えることを特徴とする請求項１から請求項１９のいずれか一項に記載のヘアスタイリング装置。
【請求項２１】
前記第１および第２の冷却領域は、相変化材料を備えることを特徴とする請求項１から請求項２０のいずれか一項に記載のヘアスタイリング装置。
【手続補正書】
【提出日】平成27年12月16日(2015.12.16)
【手続補正１】
【補正対象書類名】特許請求の範囲
【補正対象項目名】全文
【補正方法】変更
【補正の内容】
【特許請求の範囲】
【請求項１】
外側カバー層以外の少なくとも１つの予め選択されたゴルフボール層を含むゴルフボール前駆体と、
前記ゴルフボール前駆体を実質的に囲む外側カバー層と、
を備えるゴルフボールであって、
前記外側カバー層が、
（１）少なくとも１．０１のＮＣＯインデックスを有する過剰インデックスの熱可塑性ポリウレタンエラストマーの組成物を含み、
（２）１５０ｋｇ／ｃｍ２未満の１００％弾性率を有する、
ゴルフボール。
【請求項２】
前記過剰インデックスの熱可塑性ポリウレタンエラストマーが、
（ａ）有機イソシアネートと、
以下の反応剤：
（ｂ）式
【化１】
2015503420.tif 000001
（式中、Ｒ１が、置換若しくは非置換のアルキル基、置換若しくは非置換のアリール基、置換若しくは非置換のアルキル−アリール基、置換若しくは非置換のエーテル基、置換若しくは非置換のエステル基、これらの組合せ、またはＨであり、任意の基の任意の主鎖または側鎖中に不飽和結合を選択的に含み；Ｒ２が、置換若しくは非置換のアルキレン基、置換若しくは非置換のアリーレン基、置換若しくは非置換のアルキルアリーレン基、置換若しくは非置換のエーテル基、または置換若しくは非置換のエステル基が選択的に付加したアリール基を備え；ｘおよびｙが、１〜１０の値を独立して有する整数である）
の２つの第一級ヒドロキシル基および少なくとも１つのアリルエーテル基を有する不飽和ジオール；
（ｃ）少なくとも２つのイソシアネートとの反応部位を有し、４５０未満の分子量を有する鎖延長剤；
（ｄ）５００〜４，０００の分子量を有する長鎖ポリオール；および
（ｅ）前記不飽和ジオールの不飽和結合の架橋を誘導する遊離基を生成する十分な量の遊離基開始剤、
の混合物との反応生成物であり、
反応中ヒドロキシル部分に対して化学量論過剰量の有機イソシアネート部分が、少なくとも１モル％である、請求項１に記載のゴルフボール。
【請求項３】
前記ＮＣＯインデックスが１．０６〜１．１８である、請求項１または２に記載のゴルフボール。
【請求項４】
１００％弾性率が８０ｋｇ／ｃｍ２〜１３０ｋｇ／ｃｍ２である、請求項１または２に記載のゴルフボール。
【請求項５】
前記過剰インデックスの熱可塑性ポリウレタンエラストマーは湿分硬化させている、請求項１または２に記載のゴルフボール。
【請求項６】
前記外側カバー層が、８００ｐｓｉ未満の曲げ弾性率を有する、請求項１または２に記載のゴルフボール。
【請求項７】
前記ゴルフボール前駆体が、
少なくとも熱可塑性材料を含む内側コア層と、
前記内側コア層を実質的に囲み、熱硬化性ゴム組成物を含む外側コア層と、
前記外側コア層を実質的に囲み、少なくとも６０の表面ショアＤ硬度を有する内側カバー層と、
を含む、請求項１または２に記載のゴルフボール。
【請求項８】
内側コア層の前記熱可塑性材料が、２つの高度に中和された酸ポリマーのブレンドを含む、請求項６に記載のゴルフボール。
【請求項９】
前記内側コア層が、２１ｍｍ〜２８ｍｍの直径および３．４ｍｍ〜４．２ｍｍの圧縮変形を有する、請求項８に記載のゴルフボール。
【請求項１０】
外側コア層が、５ｍｍ〜９ｍｍの厚さを有する、請求項９に記載のゴルフボール。
【請求項１１】
前記外側コア層が、５０〜６０の表面ショアＤ硬度を有する、請求項１０に記載のゴルフボール。
【請求項１２】
前記外側コア層が、前記内側コア層の表面ショアＤ硬度よりも大きい表面ショアＤ硬度を有する、請求項１０に記載のゴルフボール。
【請求項１３】
前記外側コア層が、０．８０未満の反発係数を有し、前記内側コア層が、前記外側コア層の反発係数よりも低い反発係数を有する、請求項１１に記載のゴルフボール。
【請求項１４】
前記外側カバー層が、１４０ｋｇ／ｃｍ２未満の１００％弾性率を有する、請求項１または２に記載のゴルフボール。
【請求項１５】
前記外側カバー層が、８０ｋｇ／ｃｍ２〜１３０ｋｇ／ｃｍ２の１００％弾性率を有する、請求項１４に記載のゴルフボール。
【請求項１６】
内側カバー層が、１．２ｍｍ未満の厚さを有する、請求項１５に記載のゴルフボール。
【請求項１７】
前記外側カバー層が、５３〜５７の表面ショアＤ硬度を有する、請求項１６に記載のゴルフボール。
【請求項１８】
前記外側カバー層が６０から７０の表面ショアＤ硬度を有する、請求項１７に記載のゴルフボール。
【請求項１９】
前記ＮＣＯインデックスが１．０６〜１．３５であり、前記不飽和ジオールが、トリメチロールプロパンモノアリルエーテルである、請求項２に記載のゴルフボール。
【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
電線の末端を円筒状チューブの外面上に形成された表面電極に固定する締め付け具であって、
第１の半円筒状要素と、
前記円筒状チューブの周りで締められるようになされている円筒状締め付け具構造を形成するように前記第１の半円筒状要素に取り付けられるようになっている第２の半円筒状要素と
を備え、
前記円筒状締め付け具構造が、前記円筒状チューブの前記外面上に形成された前記表面電極に対して前記電線の前記末端をしっかりと保持するように構成された内面を備える締め付け具。
【請求項２】
前記円筒状締め付け具構造が、先細り状遠位端部と先細り状近位端部の間に配置された円筒状中央部を備える、請求項１に記載の締め付け具。
【請求項３】
前記先細り状遠位端部および前記先細り状近位端部が、前記円筒状チューブに対して摩擦ばめを形成するように構成される、請求項２に記載の締め付け具。
【請求項４】
前記先細り状遠位端部の遠位端に形成された複数の切欠きをさらに備え、各前記切欠きが、前記円筒状チューブ上の複数の表面電極のそれぞれ１つと揃えられるように構成される、請求項２に記載の締め付け具。
【請求項５】
前記先細り状近位端部の近位端に形成された複数の切欠きをさらに備え、各前記切欠きが、前記円筒状チューブ上の複数の表面電極のそれぞれ１つと揃えられるように構成される
請求項２に記載の締め付け具。
【請求項６】
前記円筒状中央部に形成された複数の穴をさらに備え、各前記穴が、前記円筒状チューブ上の複数の表面電極のそれぞれ１つと揃えられるように構成される
請求項２に記載の締め付け具。
【請求項７】
前記内面が、その中に形成された複数の溝要素を備え、各前記溝要素が、複数の電線の末端のそれぞれ１つを受け入れると共に、前記円筒状チューブ上に形成された複数の表面電極のそれぞれ１つに前記電線の前記末端のそれぞれ１つを固定するように構成される、請求項１に記載の締め付け具。
【請求項８】
各前記溝要素が、深い溝と長手方向に揃えられている浅い溝を備える、請求項７に記載
の締め付け具。
【請求項９】
前記深い溝が、前記浅い溝より深いと共に幅広い、請求項８に記載の締め付け具。
【請求項１０】
前記第１の半円筒状要素が雌要素であり、前記第２の半円筒状要素が雄要素であり、前
記雄要素および前記雌要素を共に取り付けるように前記雌要素に挿入されるように構成さ
れるクリップが前記雄要素から延びる、請求項１に記載の締め付け具。
【請求項１１】
前記円筒状締め付け具構造の前記内面が、気管内チューブの外面上に形成された表面電
極に対して電線の末端をしっかりと保持するように構成される、請求項１に記載の締め付
け具。
【請求項１２】
前記内面が、前記円筒状チューブ上に形成された表面電極に対して電線の末端を押す規
格に適合したＯリングを受け入れるように構成される内部に形成されたＯリングのくぼみ
を備える、請求項１に記載の締め付け具。
【請求項１３】
外面を有する円筒状チューブと、
前記円筒状チューブの前記外面上に形成された電極と、
前記円筒状チューブの周りで締められる円筒状締め付け具構造と
を備える円筒状機器であって、
前記円筒状締め付け具構造が、前記円筒状チューブの前記外面上に形成された前記電極のそれぞれ１つに対して電線の末端をしっかりと保持する内面を備える円筒状機器。
【請求項１４】
前記円筒状締め付け具構造が、先細り状遠位端部と先細り状近位端部の間に配置された
円筒状中央部を備える、請求項１３に記載の円筒状機器。
【請求項１５】
前記先細り状遠位端部の遠位端に形成された複数の切欠きをさらに備え、
各前記切欠きが、前記円筒状チューブ上の前記電極の１つと揃えられる、
請求項１４に記載の円筒状機器。
【請求項１６】
前記先細り状近位端部の近位端に形成された複数の切欠きをさらに備え、
各前記切欠きが、前記円筒状チューブ上の前記電極の１つと揃えられる、
請求項１４に記載の円筒状機器。
【請求項１７】
前記円筒状中央部に形成された複数の穴をさらに備え、各前記穴が、前記円筒状チューブ上の前記電極の１つと揃えられる、
請求項１４に記載の円筒状機器。
【請求項１８】
前記内面が、その中に形成された複数の溝要素を備え、
各前記溝要素が、電線の末端のそれぞれ１つを受け入れると共に前記円筒状チューブ上に形成された前記電極の１つにそれぞれの末端を固定するように構成される、請求項１３に記載の円筒状機器。
【請求項１９】
各前記溝要素が、深い溝と長手方向に揃えられている浅い溝を備え、前記深い溝が、前
記浅い溝より深いと共に幅広い、請求項１８に記載の円筒状機器。
【請求項２０】
患者の喉頭部筋肉のＥＭＧ信号をモニタリングする機器であって、
外面を有する気管内チューブと、
前記気管内チューブの前記外面上に形成された導電性電極であって、前記導電性電極は
、前記気管内チューブが前記患者の気管に置かれたとき、前記喉頭部筋肉から前記ＥＭＧ
信号を受け入れるように構成される導電性電極と、
前記導電性電極にそれぞれ結合されると共に、前記導電性電極により受け取った前記Ｅ
ＭＧ信号を処理機器に伝えるように構成される導体と、
前記気管内チューブの周りで締められると共に、前記導体の末端を前記導電性電極と接
触状態に保持するように構成される管状の締め付け具と
を備える機器。
【手続補正２】
【補正対象書類名】図面
【補正対象項目名】図８
【補正方法】変更
【補正の内容】
【図８】
2015503972.tif 000001
【手続補正書】
【提出日】平成27年12月16日(2015.12.16)
【手続補正１】
【補正対象書類名】特許請求の範囲
【補正対象項目名】全文
【補正方法】変更
【補正の内容】
【特許請求の範囲】
【請求項１】
以下の段階を含む、二重特異性抗体を分泌する細胞を選択する方法：
(a) レンチウイルスのウイルス粒子の集団を形質導入することにより、真核細胞の集団を作製する段階であって、該レンチウイルスのウイルス粒子の各々が、分泌型二重特異性抗体をコードするバイシストロニック発現カセットを含み、該カセットが、EV71-IRESの上流のホール遺伝子座またはノブ遺伝子座における第1重鎖可変ドメインコード核酸、およびEV71-IRESの下流の各他方の遺伝子座における第2重鎖可変ドメインコード核酸を含み、該第1重鎖可変ドメインが第1抗原に結合し、かつ該第2可変ドメインが第2抗原に結合し、該第1抗原と該第2抗原が同じであってもまたは異なってもよく、該真核細胞が共通の軽鎖を発現する、段階ならびに
(b) 該真核細胞の集団から、分泌された全長二重特異性抗体の特性に従って細胞を選択する段階。
【請求項２】
第1段階として、以下の段階のうちの1つまたは複数を含むことを特徴とする、請求項1記載の方法：
・トランスジェニック動物を関心対象の抗原で免疫化する段階であって、該実験動物のB細胞が同じ軽鎖を発現する、段階、および／または
・FACSによるバルク選別により、該免疫化実験動物のB細胞を選択する段階、および／または
・シャトルベクター／レンチウイルス発現ベクターへの指向的クローニングを可能にするための特有の制限部位を導入する2つの別個の／連続的なポリメラーゼ連鎖反応法による個々のPCR増幅により、各B細胞の重鎖コード核酸を得る段階。
【請求項３】
以下の段階を含むことを特徴とする、請求項2記載の方法：
・EV71-IRESを含む、完全な第1重鎖コード核酸および第2重鎖の可変ドメインをコードする核酸 (2.2 kbp) のPCRを行い、膜貫通ドメインをもたない第2シャトルベクターにクローニングする段階。
【請求項４】
バイシストロニック発現カセットが、5'から3'方向に、
・プロモーター
・第1全長抗体重鎖をコードする第1核酸、
・EV71-IRES、
・第2全長抗体重鎖をコードする第2核酸
を含むことを特徴とする、請求項1〜3のいずれか一項記載の方法。
【請求項５】
抗体が二価二重特異性抗体であることを特徴とする、請求項1〜4のいずれか一項記載の方法。
【請求項６】
抗体が2つの異なる抗原または同じ抗原上の2つのエピトープに特異的に結合することを特徴とする、請求項1〜5のいずれか一項記載の方法。
【請求項７】
第1全長抗体重鎖がホール変異を含み、かつ第2抗体重鎖がノブ変異を含むことを特徴とする、請求項1〜6のいずれか一項記載の方法。
【請求項８】
全長抗体が、ヒト起源の、特にヒトIgG1、IgG2、またはIgG4クラスの定常領域を含むことを特徴とする、請求項1〜7のいずれか一項記載の方法。
【請求項９】
真核細胞が哺乳動物細胞または酵母細胞であることを特徴とする、請求項1〜8のいずれか一項記載の方法。
【請求項１０】
哺乳動物細胞がCHO細胞またはHEK細胞であることを特徴とする、請求項1〜9のいずれか一項記載の方法。
【請求項１１】
免疫グロブリン重鎖をコードする核酸が、ゲノムとして組織化された免疫グロブリン重鎖遺伝子のすべてのエクソンおよび1つ以外のすべてのイントロンを含むことを特徴とする、請求項1〜10のいずれか一項記載の方法。
【請求項１２】
抗体がヒト化抗体またはヒト抗体、特にヒト抗体であることを特徴とする、請求項1〜11のいずれか一項記載の方法。